(57)【要約】【課題】  小型化を実現することが可能な表示装置を提供する。【解決手段】  表示素子１１を有する表示部材１０と発光表示部材２０とが隣接するように配設され、表示素子１１は、その表示エリア１１ａを取り巻く非表示エリア１１ｂを備えてなり、発光表示部材２０は、パネル２１に形成された意匠部２１ａと、意匠部２１ａを照明するための光源２２と、光源２２を囲む枠体２３とを備えてなる表示装置であって、パネル２１を支持するように枠体２３に設けられる支持部３５の一部（第１の側壁部３１の第１壁部Ｈ１）が、非表示エリア１１ｂ上に重なるような構成となっている。【選択図】  図２
2009003244.tif 000002
【特許請求の範囲】
【請求項１】
表示素子を有する表示部材と発光表示部材とが隣接するように配設され、
前記表示素子は、その表示領域を取り巻く非表示領域を備えてなり、
前記発光表示部材は、パネルに形成された意匠部と、前記意匠部を照明するための光源と、前記光源を囲む枠体とを備えてなる表示装置であって、
前記パネルの少なくとも一部もしくは前記枠体の少なくとも一部が、前記非表示領域上に重なるような構成となっていることを特徴とする表示装置。
【請求項２】
表示素子を有する表示部材と発光表示部材とが隣接するように配設され、
前記表示素子は、その表示領域を取り巻く非表示領域を備えてなり、
前記発光表示部材は、レンズ部材に形成された意匠部と、前記意匠部を照明するための光源と、前記光源を囲む枠体とを備えてなる表示装置であって、
前記枠体の少なくとも一部が、前記非表示領域上に重なるような構成となっていることを特徴とする表示装置。
【請求項３】
前記パネルまたは前記レンズ部材を支持するように前記枠体に設けられる支持部の少なくとも一部が、前記非表示領域上に重なるような構成となっていることを特徴とする請求項１または請求項２記載の表示装置。
【請求項４】
前記表示素子並びに前記発光表示部材を覆う覆い部材を備え、前記覆い部材が、前記表示領域に対応する第１の開口部と、前記意匠部に対応する第２の開口部とを備えてなることを特徴とする請求項１または請求項２記載の表示装置。
【発明の詳細な説明】
【技術分野】
【０００１】
本発明は、表示素子を有する表示部材とインジケータ表示器のごとき発光表示部材とが隣接するように配設された表示装置に関する。
【背景技術】
【０００２】
従来、この種の表示装置にあっては、例えば下記特許文献１に記載されているものが知られている。この特許文献１に記載の表示装置は、各種車両に搭載された車両用の表示装置からなり、車速等の各種情報の表示を行う液晶表示素子（表示素子）を有する液晶表示器（表示部材）と、この液晶表示器に隣接するように配設されたインジケータ表示器（発光表示部材）とを備えてなる。
【特許文献１】実開平７−３２６８２号公報
【０００３】
図７，図８は、液晶表示器１００とインジケータ表示器２００とが隣接するように配設された表示装置の従来技術を示している。なお、図７は、かかる従来技術における表示装置の正面図であり、図８は図７中、Ｘ−Ｘ断面図である。
【０００４】
この図７，図８において、液晶表示器（表示部材）１００は、車速等の各種情報の表示を行う液晶表示素子（表示素子）１１０と、この液晶表示素子１１０をバックライト照明するための複数個の素子用光源１２０と、各素子用光源１２０を実装してなる回路基板１３０と、各素子用光源１２０を囲むように液晶表示素子１１０と回路基板１３０との間に位置する白色合成樹脂からなるケース体１４０と、液晶表示素子１１０とケース体１４０との間に狭持され、素子用光源１２０からの照明光を略均一化させるための拡散板１５０と、液晶表示素子１１０の可視領域を定めるための第１の開口部１６１を有する黒色合成樹脂からなる見返し部材（覆い部材）１６０とを備えてなる。
【０００５】
この場合、液晶表示素子１１０は、一対のガラス基板間に液晶分子を封入してなる表示パネルからなり、前記各種情報を表示情報として形成することが可能な領域であって、見返し部材１６０の第１の開口部１６１に対応して設けられる表示領域（表示エリア）１１１と、この表示エリア１１１を取り巻くように表示エリア１１１の周囲に形成される非表示エリア（非表示領域）１１２とを備えてなる。ここで言う、非表示エリア１１２とは、何の情報も表示できないデッドスペースである。
【０００６】
一方、インジケータ表示器（発光表示部材）２００は、図７中、液晶表示素子１１０の下方において、液晶表示素子１１０と隣接するように配置されてなる略帯状のパネル（インジケータパネル）２１０と、このパネル２１０における長手方向に列をなすように複数個隣接して形成される各種の報知マーク（意匠部）２２０とを備えてなり、パネル２１０の背後には、各報知マーク２２０に対応する複数の光源２３０が列をなすように液晶表示器１００に備えられる前述した回路基板１３０上に隣接して実装され、各種センサからの信号に応じて報知を行うべき状況が発生したときに光源２３０を点灯して報知マーク２２０を発光表示させるようになっている。
【０００７】
なお、図８中、２４０は、報知マーク２２０を照明するための光源２３０を囲むようにパネル２１０と回路基板１３０との間に配置された白色系の遮光性合成樹脂からなる枠体であり、この枠体２４０には、光源２３０からの光をパネル２１０側に案内する照明室２４１が形成されてなる。そして、この場合、前記照明室は、個々の報知マーク２２０（個々の光源２３０）毎に複数個形成されてなる。また、図８中、２５０は、各報知マーク２２０に対応して各々開口形成された第２の開口部であり、これら第２の開口部２５０は、液晶表示器１００に備えられる前述した見返し部材１６０に設けられてなる。
【発明の開示】
【発明が解決しようとする課題】
【０００８】
ところで、図７，図８に示したような液晶表示器１００とインジケータ表示器２００とが隣接するように配設された表示装置の場合、図７中、表示装置の縦方向（図７中、矢印Ｙ方向）における全体縦寸法Ｓは、液晶表示器１００における液晶表示素子１１０の縦寸法Ｔ１と、インジケータ表示器２００におけるパネル２１０の縦寸法Ｔ２とを加算した寸法となる。
【０００９】
そして、液晶表示素子１１０は、前述したように表示エリア１１１と、これを取り巻くデッドスペースである非表示エリア１１２とを備えてなることから、液晶表示素子１１０の縦寸法Ｔ１は、図７に示すように表示エリア１１１の縦寸法Ｔ３と、図７中、表示エリア１１１の上側に位置する非表示エリア１１２の上側縦寸法Ｔ４と、図７中、表示エリア１１１の下側（インジケータ表示器２００側）に位置する非表示エリア１１２の下側縦寸法Ｔ５とを加算した寸法となる。
【００１０】
従って、図７中、表示装置の縦方向（図７中、矢印Ｙ方向）における全体縦寸法Ｓは、非表示エリア１１２の上側縦寸法Ｔ４と、表示エリア１１１の縦寸法Ｔ３と、非表示エリア１１２の下側縦寸法Ｔ５と、パネル２１０の縦寸法Ｔ２とを加算した寸法となるが、近年、各種車両に搭載される車両用の表示装置にあっては、表示装置自体の省スペース化（具体的には、表示エリア１１１の表示面積を小さくすることなく表示装置の全体縦寸法Ｓを可能な限り小さくすること）が求められており、限られたスペース（全体縦寸法Ｓ）の中で、表示装置（つまり、液晶表示器並びにインジケータ表示器）をいかにして設置するかが課題となっている。
そこで本発明は、前述の課題に対して対処するため、小型化を実現することが可能な表示装置の提供を目的とするものである。
【課題を解決するための手段】
【００１１】
本発明は、表示素子を有する表示部材と発光表示部材とが隣接するように配設され、前記表示素子は、その表示領域を取り巻く非表示領域を備えてなり、前記発光表示部材は、パネルに形成された意匠部と、前記意匠部を照明するための光源と、前記光源を囲む枠体とを備えてなる表示装置であって、前記パネルの少なくとも一部もしくは前記枠体の少なくとも一部が、前記非表示領域上に重なるような構成となっていることを特徴とする。
【００１２】
また本発明は、表示素子を有する表示部材と発光表示部材とが隣接するように配設され、前記表示素子は、その表示領域を取り巻く非表示領域を備えてなり、前記発光表示部材は、レンズ部材に形成された意匠部と、前記意匠部を照明するための光源と、前記光源を囲む枠体とを備えてなる表示装置であって、前記枠体の少なくとも一部が、前記非表示領域上に重なるような構成となっていることを特徴とする。
【００１３】
また本発明は、前記パネルまたは前記レンズを支持するように前記枠体に設けられる支持部の少なくとも一部が、前記非表示領域上に重なるような構成となっていることを特徴とする。
【００１４】
また本発明は、前記表示素子並びに前記発光表示部材を覆う覆い部材を備え、前記覆い部材が、前記表示領域に対応する第１の開口部と、前記意匠部に対応する第２の開口部とを備えてなることを特徴とする。
【発明の効果】
【００１５】
本発明によれば、初期の目的を達成でき、小型化を実現することが可能な表示装置を提供できる。
【発明を実施するための最良の形態】
【００１６】
以下、本発明の実施形態を例えば液晶表示器とインジケータ表示器とが隣接するように配設された車両用の表示装置に適用した場合について説明する。なお、図１は本発明の実施形態による表示装置の正面図、図２は図１のＡ−Ａ断面図、図３は図１のＢ−Ｂ断面図である。
【００１７】
図１において、本実施形態による表示装置は、液晶表示器からなる表示部材１０と、インジケータ表示器からなる発光表示部材２０とを備えてなる。この場合、表示部材１０と発光表示部材２０とは、互いに隣接するように配設された状態で表示装置を構成してなり、図１中、上方に表示部材１０が配設され、図１中、表示部材１０の下方に表示部材１０と隣接するように発光表示部材２０が配設されてなる。
【００１８】
表示部材１０は、図２に示すように表示素子１１と、素子用光源１２と、回路基板１３と、ケース体１４と、拡散板１５と、見返し部材（覆い部材）１６とから構成されてなる。
【００１９】
表示素子１１は、例えば一対のガラス基板間に液晶分子を封入してなる液晶表示素子からなり、図示しない各種センサからの検出信号（電気信号）に基づいて、車速や車両の走行距離、燃料消費、外気温、時刻等の各種情報を表示するものである。
【００２０】
かかる表示素子１１は、前記各種情報を表示情報として形成することが可能な領域であって、見返し部材１６の後述する第１の開口部に対応して設けられる表示エリア（表示領域）１１ａと、この表示エリア１１ａを取り巻くように表示エリア１１ａの周囲に形成される非表示エリア（非表示領域）１１ｂとを備えてなり、この非表示エリア１１ｂは、何の情報も表示できないデッドスペースとなっている。
【００２１】
素子用光源１２は、適宜色（例えば橙色）の照明光を発する複数個のチップ型発光ダイオードからなり、拡散板１５の背後側となる回路基板１３上にそれぞれ配置（実装）され、前方側（拡散板１５側）に照明光を供給する発光体である。
【００２２】
回路基板１３は、例えばガラスエポキシ系基材に配線パターン（図示せず）を施した硬質回路基板からなり、表示素子１１の駆動・制御を行う駆動回路（図示せず）と、各素子用光源１２と、後述する各光源と、抵抗、コンデンサ等の各種回路部品（図示せず）とが前記配線パターンに導通接続されてなる。かかる回路基板１３は、表示部材１０の一構成部品であるとともに、前記各光源を備える発光表示部材２０の一構成部品でもある。
【００２３】
ケース体１４は、例えば白色の合成樹脂からなり、各素子用光源１２を取り囲むように回路基板１３と拡散板１５との間に位置し、拡散板１５並びに拡散板１５上に載置される表示素子１１を保持するための略枠形状の周壁部１４ａを備えてなる。
【００２４】
拡散板１５は、例えば乳白色を有する略平板状の光透過性合成樹脂からなり、表示素子１１の背面に沿うように配置され、表示素子１１を保持してなる。かかる拡散板１５は、ケース体１４の周壁部１４ａによって包囲されてなる各素子用光源１２からの照明光を略均一化させるための光拡散部材としての機能を有し、この略均一化された照明光は表示素子１１側に導かれる構成となっている。
【００２５】
見返し部材１６は、例えば黒色の合成樹脂からなり、表示素子１１並びに発光表示部材２０の前方側を覆うものであり、表示素子１１における表示エリア１１ａの可視領域を定めるように、表示エリア１１ａに対応して開口形成された略矩形状の第１の開口部１６ａと、発光表示部材２０の後述するパネルの可視領域を定めるように、前記パネルに形成される後述する光透過部（意匠部）に対応して開口形成された略楕円形状の第２の開口部１６ｂとを備えてなる。
【００２６】
一方、発光表示部材２０は、略帯状のインジケータパネルからなるパネル２１と、このパネル２１における長手方向に沿い複数個隣接して形成される後述する意匠部に対応するようにパネル２１の背後側に配置される複数個の光源２２と、各光源２２からの照明光をパネル２１側（前記各意匠部側）に各々案内するための後述する複数個の照明室を有する枠体２３とを備えてなる。
【００２７】
パネル２１は、表示装置を正面から見たときに、その一部分が非表示エリア１１ｂのうち発光表示部材２０側に位置する非表示エリア１１ｃ箇所と重なるように、表示素子１１の前方側に配設されてなる。かかるパネル２１は、非表示エリア１１ｃと略平行状態をなすように略帯状に形成され、その長手方向に沿い列をなすように複数個隣接して形成された各種の警報マークや報知マーク等からなる意匠部２１ａを備えてなる。
【００２８】
本実施形態の場合、パネル２１に形成された各意匠部２１ａは、薄板状の透光性基材Ｐの表面に形成された印刷層（例えば黒色系の遮光性インクにより形成された黒色印刷層）からなり、かかる印刷層によって車両の運転状態を報知する各種の警報マークや報知マーク等が表示意匠として形成されてなるものである。なお、意匠部２１ａは、透光性基材Ｐの表面ではなく、透光性基材Ｐの背面に設けてもよい。
【００２９】
なお、意匠部２１ａの周囲は、光源２２からの照明光を透過可能な光透過部２１ｂとして形成されてなり、この光透過部２１ｂは、表示部材１０の見返し部材１６に備えられる第２の開口部１６ｂに対応するように略楕円形状にて形成されてなり、透光性基材Ｐの露出領域となっている。また、２１ｃは、黒色系の遮光性インクにより、透光性基材Ｐの表面に形成された黒色印刷層からなる遮光部であり、この遮光部２１ｃは、光透過部２１ｂを取り巻くように光透過部２１ｂの周囲に形成されてなる。なお、遮光部２１ｃは、透光性基材Ｐの表面ではなく、透光性基材Ｐの背面に設けてもよい。
【００３０】
光源２２は、適宜色（例えば橙色）の照明光を発する複数個のチップ型発光ダイオードからなり、各意匠部２１ａに対応するように複数個隣接して、表示部材１０に備えられる回路基板１３上にそれぞれ実装され、前方側（パネル２１側）に照明光を供給し、意匠部２１ａを照明するための発光体である。なお、光源２２は、回路基板１３を通じて点灯用電力の供給が行われるようになっている。
【００３１】
そして、前記各種センサからの前記電気信号に応じて所定の意匠部２１ａにて警報や報知を行うべき状況が発生したときに、この所定の意匠部２１ａに対応するように所定の意匠部２１ａの直下に位置する所定の光源２２を点灯させることで、この所定の光源２２から発せられる照明光が、前記照明室を通じてパネル２１側に案内される。このパネル２１側に案内されてなる照明光は、所定の意匠部２１ａの周囲に形成されてなる所定の光透過部２１ｂを透過し、これにより所定の意匠部２１ａがバックライト照明され、これにより車両を利用する利用者に対し報知すべき情報を発光表示させるようになっている。
【００３２】
枠体２３は、例えば白色の遮光性合成樹脂からなり、パネル２１と回路基板１３との間に配置され、各光源２２からの照明光をパネル２１側（各意匠部２１ａ側）にそれぞれ案内するための複数個の照明室２３ａを備えてなる。
【００３３】
この場合、照明室２３ａは、図２，図３に示すように第１の側壁部３１と、第２の側壁部３２と、第３の側壁部３３と、第４の側壁部３４とによって囲まれた空洞領域からなる。そして、各側壁部３１〜３４にてパネル２１を支持するための支持部３５を構成してなる。
【００３４】
ここで支持部３５のうち、第１の側壁部３１は、段差形状を有するように形成され、パネル２１側に位置する上側壁部Ｈ１と、回路基板１３側に位置する下側壁部Ｈ２と、上側壁部Ｈ１と下側壁部Ｈ２とを連結する連結部Ｈ３とを有する。
【００３５】
上側壁部Ｈ１は、表示素子１１における発光表示部２０側に位置する非表示エリア１１ｃの前方側に配設され、パネル２１の背面から垂下するように延びる立壁部からなる。
【００３６】
また下側壁部Ｈ２は、図２中、上側壁部Ｈ１の配設位置よりも左側（光源２２側）であって、且つ上側壁部Ｈ１と回路基板１３との間に位置する立壁部からなり、その外壁面Ｐ１は、非表示エリア１１ｃの外壁面Ｐ２と向かい合うような位置関係にある。そして、連結部Ｈ３は、上側壁部Ｈ１の下端部分と、下側壁部Ｈ２の上端部分とを繋ぐための略傾斜形状の傾斜壁からなる。
【００３７】
なお、支持部３５のうち残る第２の側壁部３２、第３の側壁部３３並びに第４の側壁部３４は、パネル２１と回路基板１３との間に配設され、パネル２１の背面から回路基板１３側に向けて垂下するように延びる立壁部からなる。
【００３８】
かかる実施形態によれば、パネル２１を支持するように枠体２３に設けられた支持部３５（各側壁部３１〜３４）のうち、第１の側壁部３１における第１壁部Ｈ１が、表示素子１１における発光表示部材２０側に位置する非表示エリア１１ｃの上側に重なるような構成となっているから、図１中、表示装置の縦方向（図１中、矢印Ｙ方向）における全体縦寸法Ｓは、図１中、表示素子１１ａの上側に位置する非表示エリア１１ｂの上側縦寸法Ｔ４と、表示エリア１１ａの縦寸法Ｔ３と、パネル２１の縦寸法Ｔ２とを加算した寸法となる。
【００３９】
従って、従来技術によれば、非表示エリアにおける下側縦寸法Ｔ５（つまり、本実施形態における発光表示部材２０側に位置する非表示エリア１１ｃの縦寸法）が全体縦寸法Ｓ（表示素子１０の縦寸法Ｔ１）に含まれていたのに対し、本発明によれば発光表示部材２０側に位置する非表示エリア１１ｃの上方に、第１の側壁部３１の第１壁部Ｈ１を配設し、さらに第１壁部Ｈ１上にパネル２１の所要部を載置した構成としたから、発光表示部材２０側に位置する非表示エリア１１ｃの縦寸法が、全体縦寸法Ｓ（表示素子１０の縦寸法Ｔ１）には含まれない構成となる。すなわち、図１のように表示装置を正面から見たとき、パネル２１が、従来よりも非表示エリア１１ｃの縦寸法の分だけ、表示エリア１１ａ側に配設される構成となるため、図１中、矢印Ｙ方向における全体縦寸法Ｓの値を従来よりも小さな寸法値として設定することができ、これにより小型化を実現することが可能な表示装置を提供できる。
【００４０】
また本実施形態では、表示素子１１並びに発光表示部材２０を覆う見返し部材１６を備え、この見返し部材１６が、表示素子１１の表示エリア１１ａに対応する第１の開口部１６ａと、パネル２１の光透過部２１ｂ（意匠部２１ａ）に対応する第２の開口部１６ｂとを備えてなることにより、表示素子１１の表示エリア１１ａ、並びに発光表示部材２０における意匠部２１ａと光透過部２１ｂのみを前記利用者側から視認可能な構成とし、それ以外の領域を前記利用者側から視認不可能な構成したから、外観品質を低下させることのない商品性の高い表示装置を提供できる。
【００４１】
また本実施形態では、略帯状のパネル（インジケータパネル）２１に複数の意匠部２１ａを隣接して形成した例について説明したが、例えば図４に示すようにパネル２１を廃止して、表面に意匠部Ｄが形成され、且つ背面にシボ加工の施された平板状のレンズ部材（インジケータレンズ）４０を採用し、このレンズ部材４０を区画された照明室２３ａ毎に照明室２３ａ（支持部３５により囲まれた前記空洞領域）における上端側開口にそれぞれ埋設して、支持部３５にて支持するような構成としてもよい。なお、この場合、意匠部Ｄは、レンズ部材４０の表面ではなく、レンズ部材４０の背面に設けてもよい。
【００４２】
また本実施形態では、支持部３５の一部である第１の側壁部３１の第１壁部Ｈ１が、発光表示部２０側に位置する非表示エリア１１ｃと略全領域で重なる例について説明したが、例えば第１の側壁部３１の第１壁部Ｈ１が、非表示エリア１１ｃと部分的に重なるような構成としてもよく、要は、第１の側壁部３１における第１壁部Ｈ１の少なくとも一部が、非表示エリア１１ｃと重なる構成であればよい。
【００４３】
なお本実施形態では、第１の側壁部３１が、第１，第２壁部Ｈ１，Ｈ２並びに両壁部Ｈ１，Ｈ２を繋ぐ連結部Ｈ３とを備えてなる例について説明したが、例えば図５に示すように第１壁部Ｈ１と連結部Ｈ３を廃止して、第２壁部Ｈ２がパネル２１の背面を支持するように第２壁部Ｈ２をパネル２１側に向けて真っ直ぐ延長形成し（逆の見方をすれば、第２壁部Ｈ２をパネル２１の背面から回路基板１３側に向けて垂下する立壁部として形成し）、非表示エリア１１ｃと、第２壁部Ｈ２から表示部材１０側に突出するように位置するパネル２１（透光性基材Ｐ）の外縁部５０とを対向配置させ、表示装置を正面から見たとき、パネル２１の外縁部５０が、非表示エリア１１ｃと重なるような構成としてもよい。
【００４４】
さらに、上述したようにパネル２１の外縁部５０が、非表示エリア１１ｃと重なるような構成とはせずに、例えば図６に示すようにパネル２１の外縁部５０を廃止して、第２壁部Ｈ２から非表示エリア１１ｃを覆うように、第２壁部Ｈ２に覆い部６０を一体形成してなり、この覆い部６０（つまり、枠体２３の一部）が、非表示エリア１１ｃと重なるような構成としてもよい。なお、外縁部５０や覆い部６０は、その少なくとも一部が非表示エリア１１ｃと重なるような構成であればよい。また、上述した図５や図６の構成において、パネル２１に代えて、レンズ部材４０を採用してもよいことは言うまでもない。
【図面の簡単な説明】
【００４５】
【図１】本発明の実施形態による表示装置の正面図である。
【図２】図１のＡ−Ａ断面図である。
【図３】図１のＢ−Ｂ断面図である。
【図４】本発明の変形例による表示装置の断面図である。
【図５】本発明の他の変形例による表示装置の断面図である。
【図６】本発明の他の変形例による表示装置の断面図である。
【図７】従来技術による表示装置の正面図である。
【図８】図７のＸ−Ｘ断面図である。
【符号の説明】
【００４６】
１０    表示部材
１１    表示素子
１１ａ  表示エリア（表示領域）
１１ｂ  非表示エリア（非表示領域）
１３    回路基板
１６    見返し部材（覆い部材）
１６ａ  第１の開口部
１６ｂ  第２の開口部
２０    発光表示部材
２１    パネル
２１ａ  意匠部
２１ｂ  光透過部
２２    光源
２３    枠体
２３ａ  照明室
３１    第１の側壁部
３２    第２の側壁部
３３    第３の側壁部
３４    第４の側壁部
３５    支持部
４０    レンズ部材
５０    延長部
６０    覆い部
Ｈ１    第１壁部
Ｈ２    第２壁部
Ｈ３    連結部
【図１】
2009003244.tif 000003
【図２】
2009003244.tif 000004
【図３】
2009003244.tif 000005
【図４】
2009003244.tif 000006
【図５】
2009003244.tif 000007
【図６】
2009003244.tif 000008
【図７】
2009003244.tif 000009
【図８】
2009003244.tif 000010